(57)【要約】【課題】一の識別情報に複数の選択キーが対応づけられている場合におけるユーザ操作の利便性の向上を図ることができる、画像処理装置、画面表示方法およびプログラムを提供する。【解決手段】操作パネルにホーム画面４１が表示されている状態でＩＣカードのカード番号が読み取られた場合には、その読み取られたカード番号に対応づけられた全登録データに対応するショートカットキー６１を含むショートカット表示画面４４が操作パネルに表示される。また、操作パネルに特定の機能に関するコピーモード画面４２、スキャンモード画面４３またはファックスモード画面が表示されている状態でＩＣカードのカード番号が読み取られた場合には、特定の機能に関する設定が含まれる登録データに対応するショートカットキー６１を含む機能限定ショートカット表示画面４６が操作パネルに表示される。【選択図】図４
2020068432.tif 000002
【特許請求の範囲】
【請求項１】
複数の機能を実行可能な画像処理装置であって、
前記複数の機能を選択的に実行する機能実行部と、
外部の媒体から識別情報を読み取る情報読取部と、
表示部と、
記憶部と、
制御部と、を備え、
前記記憶部は、
前記識別情報に対応づけて、Ｎ（Ｎ：２以上の正の整数）個の選択キーを含む第１画面に係る第１表示情報と、
前記識別情報に対応づけて、Ｍ（Ｍ：Ｎより小さい正の整数）個の選択キーを含む第２画面に係る第２表示情報と、を記憶し、
前記制御部は、
前記情報読取部が前記媒体から前記識別情報を読み取るときに前記表示部が待機画面を表示していると判断する場合、当該識別情報に対応づけて前記記憶部に記憶されている前記第１表示情報に基づいて、前記第１画面を前記表示部に表示させ、
前記情報読取部が前記媒体から前記識別情報が読み取るときに前記表示部が前記複数の機能のうちの特定の機能に関する画面を表示していると判断する場合、当該識別情報に対応づけて前記記憶部に記憶されている前記第２表示情報に基づいて、前記第２画面を前記表示部に表示させる、画像処理装置。
【請求項２】
請求項１に記載の画像処理装置であって、
前記Ｍ個の選択キーは、前記Ｎ個の選択キーに含まれる、画像処理装置。
【請求項３】
請求項１または２に記載の画像処理装置であって、
前記Ｍ個の選択キーは、前記特定の機能に関する入力のために選択的に操作されるキーを含む、画像処理装置。
【請求項４】
請求項１〜３のいずれか一項に記載の画像処理装置であって、
前記特定の機能は、シートから画像を読取るスキャン機能、シートへ画像を形成するプリント機能の少なくとも一つである、画像処理装置。
【請求項５】
請求項１〜４のいずれか一項に記載の画像処理装置であって、
前記待機画面は、前記第１画面及び前記第２画面より上位階層の画面である、画像処理装置。
【請求項６】
請求項１〜４のいずれか一項に記載の画像処理装置であって、
前記待機画面は、前記複数の機能を選択するための選択キーを含む、画像処理装置。
【請求項７】
請求項１〜６のいずれか一項に記載の画像処理装置であって、
前記情報読取部は、無線通信により、前記媒体から識別情報を読取る、画像処理装置。
【請求項８】
複数の機能を選択的に実行する機能実行部と、
外部の媒体から識別情報を読み取る情報読取部と、
前記識別情報に対応づけて、Ｎ（Ｎ：２以上の正の整数）個の選択キーを含む第１画面に係る第１表示情報と、前記識別情報に対応づけて、Ｍ（Ｍ：Ｎより小さい正の整数）個の選択キーを含む第２画面に係る第２表示情報とを記憶する記憶部と、
表示部と、を備える画像処理装置で実行される画面表示方法であって、
前記情報読取部が前記媒体から前記識別情報を読み取るときに前記表示部が待機画面を表示している場合、当該識別情報に対応づけて前記記憶部に記憶されている前記第１表示情報に基づいて、前記第１画面を前記表示部に表示し、
前記情報読取部が前記媒体から前記識別情報が読み取るときに前記表示部が前記複数の機能のうちの特定の機能に関する画面を表示している場合、当該識別情報に対応づけて前記記憶部に記憶されている前記第２表示情報に基づいて、前記第２画面を前記表示部に表示する、画面表示方法。
【請求項９】
複数の機能を選択的に実行する機能実行部と、
外部の媒体から識別情報を読み取る情報読取部と、
前記識別情報に対応づけて、Ｎ（Ｎ：２以上の正の整数）個の選択キーを含む第１画面に係る第１表示情報と、前記識別情報に対応づけて、Ｍ（Ｍ：Ｎより小さい正の整数）個の選択キーを含む第２画面に係る第２表示情報とを記憶する記憶部と、
表示部と、を備える画像形成装置のコンピュータにインストールされるプログラムであって、
前記コンピュータに、
前記情報読取部が前記媒体から前記識別情報を読み取るときに前記表示部が待機画面を表示していると判断する場合、当該識別情報に対応づけて前記記憶部に記憶されている前記第１表示情報に基づいて、前記第１画面を前記表示部に表示させる第１表示処理と、
前記情報読取部が前記媒体から前記識別情報が読み取るときに前記表示部が前記複数の機能のうちの特定の機能に関する画面を表示していると判断する場合、当該識別情報に対応づけて前記記憶部に記憶されている前記第２表示情報に基づいて、前記第２画面を前記表示部に表示させる第２表示処理と、を実行させる、プログラム。
【発明の詳細な説明】
【技術分野】
【０００１】
本発明は、複合機（ＭＦＰ：Ｍｕｌｔｉ−Ｆｕｎｃｔｉｏｎ  Ｐｅｒｉｐｈｅｒａｌ）などの画像処理装置、画像処理装置で実行される画面表示方法、および画像処理装置のコンピュータにインストールされるプログラムに関する。
【背景技術】
【０００２】
従来、スキャナやプリンタ、複合機などの画像処理装置には、ショートカット機能を有するものがある。ショートカット機能を有する画像処理装置では、スキャンなどの各種機能に関する設定が予め登録されて、機能の実行に際してその登録されている設定が呼び出される。
【０００３】
この設定の情報の呼び出しに識別情報が記憶されたカードを用いる構成が提案されている（たとえば、特許文献１参照）。その構成では、機能に関する設定が識別情報と対応づけて登録されており、画像処理装置に備えられたカードリーダによりカードから識別情報が読み取られると、識別情報に対応づけられた設定が呼び出され、その設定に従って機能が実行される。
【先行技術文献】
【特許文献】
【０００４】
【特許文献１】特開２０１６−１００５９号公報
【発明の概要】
【発明が解決しようとする課題】
【０００５】
カードの識別情報と機能に関する設定とが一対一に対応づけられている場合、カードから識別情報が読み取られると、その識別情報に対応づけられた一の設定が読み出される。
【０００６】
ところが、一の識別情報に複数の設定が対応づけられている場合には、その識別情報がカードから読み取られると、複数の設定が呼び出されるので、たとえば、各設定に対応するショートカットキーを表示器に表示させて、機能の実行に使用する設定をユーザに選択させる必要が生じる。この場合、一の識別情報に対応づけられている設定が多数であるほど、多数のショートカットキーが表示器に表示されるので、ユーザが多数のショートカットキーの中から所望する一のショートカットキーを選択するのに手間がかかり、ユーザの操作の利便性が悪い。
【０００７】
本発明の目的は、一の識別情報に複数の選択キーが対応づけられている場合におけるユーザ操作の利便性の向上を図ることができる、画像処理装置、画面表示方法およびプログラムを提供することである。
【課題を解決するための手段】
【０００８】
前記の目的を達成するため、本発明の一の局面に係る画像処理装置は、複数の機能を実行可能な画像処理装置であって、複数の機能を選択的に実行する機能実行部と、外部の媒体から識別情報を読み取る情報読取部と、表示部と、記憶部と、制御部と、を備え、記憶部は、識別情報に対応づけて、Ｎ（Ｎ：２以上の正の整数）個の選択キーを含む第１画面に係る第１表示情報と、識別情報に対応づけて、Ｍ（Ｍ：Ｎより小さい正の整数）個の選択キーを含む第２画面に係る第２表示情報と、を記憶し、制御部は、情報読取部が媒体から識別情報を読み取るときに表示部が待機画面を表示していると判断する場合、当該識別情報に対応づけて記憶部に記憶されている第１表示情報に基づいて、第１画面を表示部に表示させ、情報読取部が媒体から識別情報が読み取るときに表示部が複数の機能のうちの特定の機能に関する画面を表示していると判断する場合、当該識別情報に対応づけて記憶部に記憶されている第２表示情報に基づいて、第２画面を表示部に表示させる。
【０００９】
この構成によれば、表示部に待機画面が表示されている状態で媒体の識別情報が読み取られた場合には、その読み取られた識別情報に対応づけられた第１表示情報に基づいて、Ｎ個の選択キーを含む第１画面が表示部に表示される。また、表示部に特定の機能に関する画面が表示されている状態で媒体の識別情報が読み取られた場合には、その読み取られた識別情報に対応づけられた第２表示情報に基づいて、Ｎ個よりも少ないＭ個の選択キーを含む第２画面が表示部に表示される。
【００１０】
媒体の識別情報が読み取られたときに待機画面が表示部に表示されていた場合には、Ｍ個よりも多いＮ個の選択キーを含む第１画面が表示部に表示されるので、ユーザによる選択キーの選択の自由度が高い。一方、媒体の識別情報が読み取られたときに特定の機能に関する画面が表示部に表示されていた場合には、Ｎ個よりも少ないＭ個の選択キーを含む第２画面が表示部に表示されるので、ユーザによる一の選択キーの選択が容易である。
【００１１】
よって、一の識別情報に複数の選択キーが対応づけられている場合におけるユーザ操作の利便性の向上を図ることができる。
【００１２】
Ｎ個の選択キーの全てが、同じ機能（例えばコピー機能）に係る場合、結果的にＭ＝Ｎとなる場合が生じる。本発明は、このような場合を生じうる形態を排除するものではない。つまり、本発明は、少なくとも、ショートカットが複数登録されている場合であって、Ｎ個の選択キーの全てが同じ機能に係らない場合、Ｍ＜Ｎとなるように構成されているものを包含する。
【００１３】
待機画面は、第１画面および第２画面より上位階層の画面である。
【００１４】
なお、本発明は、画像処理装置の形態で実現できるだけでなく、たとえば、画像処理装置で実行される画面表示方法、および画像処理装置のコンピュータにインストールされるプログラムの形態で実現することもできる。
【発明の効果】
【００１５】
本発明によれば、一の識別情報に複数の選択キーが対応づけられている場合におけるユーザ操作の利便性の向上を図ることができる。
【図面の簡単な説明】
【００１６】
【図１】本発明の一実施形態に係るＭＦＰの電気的構成を示すブロック図である。
【図２Ａ】ショートカット登録された登録データの一例を示す図（その１）である。
【図２Ｂ】ショートカット登録された登録データの一例を示す図（その２）である。
【図３】優先して使用する登録データの設定例を示す図である。
【図４】操作パネルの表示画面の遷移を示す図である。
【図５】メインループ処理の流れを示す図である。
【図６】お気に入り処理の流れを示す図である。
【図７】お気に入り呼び出し処理の流れを示す図である。
【図８】変形例に係るお気に入り処理の流れを示す図である。
【図９】変形例に係るお気に入り呼び出し処理の流れを示す図である。
【発明を実施するための形態】
【００１７】
以下では、本発明の実施の形態について、添付図面を参照しつつ詳細に説明する。
【００１８】
＜ＭＦＰの電気的構成＞
図１に示されるＭＦＰ１（画像処理装置の一例）は、複数の機能を有している。複数の機能は、プリント機能、スキャン機能、コピー機能およびファックス機能に大別される。プリント機能は、画像データに係る画像をシートに形成する機能である。スキャン機能は、画像を読み取って画像データを生成する機能である。コピー機能は、画像を読み取ってその画像をシートに形成する機能である。ファックス機能は、シートに形成される画像の画像データを外部の機器との間で送受信する機能である。
【００１９】
スキャン機能には、その詳細機能として、画像の読み取りによって生成される画像データをＰＣ（パーソナルコンピュータ）やＵＳＢ（Ｕｎｉｖｅｒｓａｌ  Ｓｅｒｉａｌ  Ｂｕｓ）デバイスなどの外部の機器に送信する通常スキャン機能以外に、その画像データを電子メールに添付して外部の機器に送信するスキャンメール機能が含まれる。コピー機能には、その詳細機能として、画像をカラーで読み取ってカラー画像をシートに形成するカラーコピー機能、画像をモノクロで読み取ってモノクロ画像をシートに形成するモノクロコピー機能が含まれる。また、コピー機能には、複数の画像を読み取って複数の画像をシートに集約して形成する集約コピー機能が含まれる。ファックス機能には、その詳細機能として、画像データを外部の機器との間で公衆電話回線を介して送受信する通常ファックス機能以外に、画像データを電子メールに添付して外部の機器との間で送受信するインターネットファックス機能が含まれる。
【００２０】
ＭＦＰ１は、それらの各種の機能を実行するため、画像形成部１１（機能実行部の一例）、画像読取部１２（機能実行部の一例）、ＬＡＮ（Ｌｏｃａｌ  Ａｒｅａ  Ｎｅｔｗｏｒｋ）インタフェース１３、ＦＡＸインタフェース１４（機能実行部の一例）およびＵＳＢインタフェース１５を備えている。
【００２１】
画像形成部１１は、ＭＦＰ１の外殻をなす筐体内の搬送経路を搬送されるシートに画像を形成する機構である。画像形成部１１による画像形成の方式は、電子写真方式であってもよいし、インクジェット方式であってもよい。
【００２２】
画像読取部１２は、筐体に支持されるコンタクトガラス上の原稿をイメージセンサで読み取って、原稿の画像データを生成する機構である。画像読取部１２による画像読取の方式は、コンタクトガラス上を通過する原稿を読み取る方式であってもよいし、コンタクトガラス上で静止した原稿を読み取る方式であってもよい。
【００２３】
ＬＡＮインタフェース１３は、ＬＡＮ３を経由したネットワーク通信のための回路などを備えている。ＬＡＮ３は、有線ＬＡＮまたは無線ＬＡＮで構成されていてもよいし、有線ＬＡＮおよび無線ＬＡＮの両方で構成されていてもよい。ＬＡＮ３は、インターネット４に接続されており、ＭＦＰ１は、ＬＡＮ３およびインターネット４を経由して、インターネット４上に置かれたサーバ５と通信可能である。
【００２４】
ＦＡＸインタフェース１４は、通常ファックス機能で使用される公衆電話回線との接続のためのインタフェースであり、ＮＣＵ（Ｎｅｔｗｏｒｋ  Ｃｏｎｔｒｏｌ  Ｕｎｉｔ）を内蔵したモデムなどを備えている。
【００２５】
ＵＳＢインタフェース１５は、ＵＳＢデバイスとのデータ通信のためのインタフェースである。
【００２６】
また、ＭＦＰ１は、操作パネル１６（表示部の一例）およびＮＦＣ（Ｎｅａｒ  Ｆｉｅｌｄ  Ｃｏｍｍｕｎｉｃａｔｉｏｎ）インタフェース１７（情報読取部の一例）を備えている。
【００２７】
操作パネル１６は、タッチパネルであり、ユーザが操作および視認可能なように、筐体の外側に臨んで配置されている。操作パネル１６には、各種の情報やボタンなどの画像が表示される。ユーザが操作パネル１６に表示されるボタンを押操作することにより、その押操作が操作パネル１６に受け付けられて、その押操作に応じた信号が操作パネル１６から出力される。
【００２８】
ＮＦＣインタフェース１７は、ＮＦＣよる無線通信のためのインタフェースである。ＮＦＣは、国際規格であるＩＳＯ／ＩＥＣ１４４４３、ＩＳＯ／ＩＥＣ１８０９２などに対応する無線通信技術であり、１３．５６ＭＨｚ帯の通信周波数を利用する。ＮＦＣインタフェース１７は、筐体の外側に臨んで配置されるタッチ部を有している。ＮＦＣによる無線通信機能を有するＩＣカード６（媒体の一例）がタッチ部にタッチ（近接ないし接触）されると、そのＩＣカード６とＮＦＣインタフェース１７との間でＮＦＣ通信が確立されてデータ通信が可能となる。
【００２９】
ＭＦＰ１は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）２１、フラッシュメモリやＥ２ＰＲＯＭなどのデータの書き換えが可能な不揮発性メモリ２２（記憶部の一例）およびＳＤＲＡＭなどの揮発性メモリ２３を備えている。画像形成部１１、画像読取部１２、ＬＡＮインタフェース１３、ＦＡＸインタフェース１４、ＵＳＢインタフェース１５、操作パネル１６、ＮＦＣインタフェース１７、ＡＳＩＣ２１、不揮発性メモリ２２および揮発性メモリ２３は、バス２４を介して、データ通信可能に接続されている。
【００３０】
ＡＳＩＣ２１は、ＣＰＵ２５（制御部の一例）を内蔵している。ＣＰＵ２５は、ＡＳＩＣ２１に入力される信号などに基づいて、各種の処理のためのプログラムを実行することにより、画像形成部１１、画像読取部１２、ＬＡＮインタフェース１３、ＦＡＸインタフェース１４、ＵＳＢインタフェース１５、操作パネル１６およびＮＦＣインタフェース１７などの各部を制御する。
【００３１】
不揮発性メモリ２２には、ＣＰＵ２５によって実行されるプログラムおよび各種のデータなどが記憶されている。
【００３２】
揮発性メモリ２３は、ＣＰＵ２５がプログラムを実行する際のワークエリアとして使用される。
【００３３】
＜ショートカット登録＞
ＭＦＰ１は、ショートカット機能を有している。そのため、ユーザは、スキャン機能などの各種機能に関する設定を不揮発性メモリ２２に予め登録（以下、「ショートカット登録」という。）しておき、機能の実行に際してそのショートカット登録した設定を呼び出すことができる。ショートカット登録は、たとえば、ＰＣ（Ｐｅｒｓｏｎａｌ  Ｃｏｍｐｕｔｅｒ）やタブレットなどのユーザ端末のウェブブラウザを使用して、ＭＦＰ１に組み込まれているサーバ（ＥＷＳ：Ｅｍｂｅｄｄｅｄ  Ｗｅｂ  Ｓｅｒｖｅｒ）のウェブサイトで行うことができる。
【００３４】
ショートカット登録された登録データは、図２Ａおよび図２Ｂに示されるように、ユーザが使用するＩＣカード６のカード番号と対応づけて、不揮発性メモリ２２に記憶される。カード番号は、ＩＣカード６に固有の番号であり、ＩＣカード６の識別情報である。
【００３５】
図２Ａおよび図２Ｂに示される例では、登録番号「１」の登録データとして、カード番号「１００１」と対応づけて、ファックス機能の通常ファックス機能に関する設定と、操作パネル１６にショートカットキー６１（図４参照）とともに表示される表示名「Ｔｏ＿ＡＬＥＸ」と、ワンタッチ呼び出し「オフ」の設定とが不揮発性メモリ２２に記憶されている。ワンタッチ呼び出しの設定は、ショートカット登録された設定での機能の実行の際に、スタートキー７１（図４参照）の押操作なしで当該機能が実行されるか否かの設定であり、「オン」に設定されていると、スタートキー７１の押操作なしで当該機能が実行され、「オフ」に設定されていると、当該機能の実行にスタートキー７１の押操作が必要となる。
【００３６】
また、登録番号「２」の登録データとして、カード番号「１００１」と対応づけて、ファックス機能のインターネットファックス機能に関する設定と、操作パネル１６にショートカットキー６１とともに表示される表示名「Ｔｏ＿ＢＯＢ」と、ワンタッチ呼び出し「オフ」の設定とが不揮発性メモリ２２に記憶されている。
【００３７】
登録番号「３」の登録データとして、カード番号「１００１」と対応づけて、コピー機能のカラーコピー機能に関する設定と、操作パネル１６にショートカットキー６１とともに表示される表示名「ＣＯＬＯＲ」と、ワンタッチ呼び出し「オン」の設定とが不揮発性メモリ２２に記憶されている。
【００３８】
登録番号「４」の登録データとして、カード番号「１００１」と対応づけて、コピー機能のモノクロコピー機能に関する設定と、操作パネル１６にショートカットキー６１とともに表示される表示名「２ＳＩＤＥ」と、ワンタッチ呼び出し「オフ」の設定とが不揮発性メモリ２２に記憶されている。このモノクロコピー機能に関する設定には、シートの両面に画像を形成する設定が含まれている。
【００３９】
登録番号「５」の登録データとして、カード番号「１００１」と対応づけて、スキャン機能のスキャンメール機能に関する設定と、操作パネル１６にショートカットキー６１とともに表示される表示名「Ｔｏ＿ＭＥ」と、ワンタッチ呼び出し「オフ」の設定とが不揮発性メモリ２２に記憶されている。
【００４０】
登録番号「６」の登録データとして、カード番号「１００１」と対応づけて、コピー機能の集約コピー機能に関する設定と、操作パネル１６にショートカットキー６１とともに表示される表示名「２ＩＮ１」と、ワンタッチ呼び出し「オフ」の設定とが不揮発性メモリ２２に記憶されている。この集約コピー機能に関する設定には、シートの片面に２枚の原稿の画像を集約して形成する設定が含まれている。
【００４１】
登録番号「７」の登録データとして、カード番号「１００２」と対応づけて、スキャン機能のスキャンメール機能に関する設定と、操作パネル１６にショートカットキー６１とともに表示される表示名「ＥＭＡＩＬ＿Ｔｏ＿ＭＥ」と、ワンタッチ呼び出し「オフ」の設定とが不揮発性メモリ２２に記憶されている。
【００４２】
登録番号「８」の登録データとして、カード番号「１００２」と対応づけて、スキャン機能のスキャンメール機能に関する設定と、操作パネル１６にショートカットキー６１とともに表示される表示名「ＥＭＡＩＬ＿Ｔｏ＿ＡＬＥＸ」と、ワンタッチ呼び出し「オフ」の設定とが不揮発性メモリ２２に記憶されている。
【００４３】
登録番号「９」の登録データとして、カード番号「１００３」と対応づけて、コピー機能のカラーコピー機能に関する設定と、操作パネル１６にショートカットキー６１とともに表示される表示名「ＭＹ＿ＣＯＰＹ」と、ワンタッチ呼び出し「オン」の設定とが不揮発性メモリ２２に記憶されている。
【００４４】
＜優先登録＞
ＭＦＰ１では、１枚のＩＣカード６のカード番号に対応づけて複数の登録データがショートカット登録されている場合に、優先して使用する登録データを予め設定しておくことができる。たとえば、図３に示される例では、カード番号「１００１」およびカード番号「１００３」には、優先して使用する登録データが設定されておらず、カード番号「１００２」には、登録番号「７」の登録データを優先して使用する設定がなされている。
【００４５】
＜画面遷移＞
操作パネル１６には、図４に示されるように、複数の画面が切り替わりで表示される。操作パネル１６に表示される画面には、ホーム画面４１（待機画面の一例）、コピーモード画面４２（特定の機能に関する画面の一例）、スキャンモード画面４３（特定の機能に関する画面の一例）、ショートカット表示画面４４（第１画面の一例）、設定内容表示画面４５（実行画面の一例）および機能限定ショートカット表示画面４６（第２画面の一例）が含まれる。
【００４６】
ホーム画面４１には、スキャン機能、コピー機能およびファックス機能などの大別される各機能に対応した機能キー５１と、ＭＦＰ１の本体に関する設定を行う際に押操作される設定キー５２とがそれぞれアイコンの形態で表示される。ホーム画面４１には、ユーザが任意に選択したショートカットキー６１を表示させることもできる。ホーム画面４１の下端部には、複数のベーシックキー５３と、複数のカスタムキー５４とが横並びで表示されている。ベーシックキー５３が押操作されると、ＭＦＰ１の工場出荷時から設定されている機能キー５１および設定キー５２がホーム画面４１に表示される。カスタムキー５４が押操作されると、ショートカット登録されている全登録データに対応するショートカットキー６１が一覧で表示される。全登録データに対応するショートカットキー６１が複数の画面にわたる場合、カスタムキー５４を選択的に押操作することにより、その画面を切り替えることができる。
【００４７】
コピーモード画面４２は、ホーム画面４１でコピー機能に対応した機能キー５１が押操作されたことに応じて表示される画面である。コピーモード画面４２では、コピー機能で設定可能な項目が表示され、ユーザが各項目の設定を行うことができる。
【００４８】
スキャンモード画面４３は、ホーム画面４１でスキャン機能に対応した機能キー５１が押操作されたことに応じて表示される画面である。スキャンモード画面４３では、スキャン機能で設定可能な項目が表示され、ユーザが各項目の設定を行うことができる。
【００４９】
なお、図示されていないが、ホーム画面４１でファックス機能に対応した機能キー５１が押操作されると、操作パネル１６の表示画面がホーム画面４１からファックス機能で設定可能な項目が表示されるファックスモード画面に切り替わる。
【００５０】
ショートカット表示画面４４は、ショートカット登録された複数の登録データが１枚のＩＣカード６のカード番号と対応づけて不揮発性メモリ２２に記憶され、かつ、優先して使用する登録データが設定されていない場合に、そのＩＣカード６がＮＦＣインタフェース１７のタッチ部にタッチされたことに応じて表示される画面である。ショートカット表示画面４４には、ショートカット登録された各登録データに対応するショートカットキー６１（特定の機能に関する入力のために選択的に操作されるキーの一例）が行列状に並べて表示される。なお、「特定の機能に関する入力」とは、特定の機能に関する選択／選択項目／詳細選択の少なくとも一つである。
【００５１】
設定内容表示画面４５は、コピーモード画面４２やスキャンモード画面４３などで各項目の設定が完了されたことに応じて、または、ＩＣカード６のカード番号と対応づけて不揮発性メモリ２２に記憶されている登録データが１つである場合もしくはＩＣカード６のカード番号に対応づけて優先して使用する登録データが設定されている場合に、そのＩＣカード６がＮＦＣインタフェース１７のタッチ部にタッチされたことに応じて表示される画面である。設定内容表示画面４５には、スキャン機能、コピー機能またはファックス機能の実行に際して、その実行される機能に関する設定の内容が一覧で表示される。また、設定内容表示画面４５には、右下角部に、スキャン機能、コピー機能またはファックス機能の実行を指示するスタートキー７１（実行キーの一例）が表示される。スタートキー７１が押操作されると、設定内容表示画面４５に表示されていた内容で機能が実行され、操作パネル１６の表示画面が設定内容表示画面４５から機能実行中画面（図示せず）に切り替わる。設定内容表示画面４５の表示中またはそれ以前に、ＩＣカード６がＮＦＣインタフェース１７のタッチ部にタッチされた場合、設定内容表示画面４５の右上角部に、ショートカット登録キー７２が表示される。ショートカット登録キー７２が押操作されると、設定内容表示画面４５に表示されている内容が登録データとして、ＩＣカード６のカード番号と対応づけてショートカット登録される。
【００５２】
機能限定ショートカット表示画面４６は、ホーム画面４１でスキャン機能、コピー機能またはファックス機能に対応した機能キー５１が押操作されて、コピーモード画面４２、スキャンモード画面４３またはファックスモード画面が表示された後、その表示中にＩＣカード６がＮＦＣインタフェース１７のタッチ部にタッチされた場合に表示される画面である。機能限定ショートカット表示画面４６には、ＩＣカード６のカード番号と対応づけて不揮発性メモリ２２に記憶されている登録データの中からホーム画面４１で押操作された機能キー５１に対応した機能に関する設定が含まれる登録データ（第２表示情報の一例）が抽出されて、その抽出された登録データに対応するショートカットキー６１（選択キーの一例）が行列状に並べて表示される。たとえば、コピーモード画面４２の表示中に、ＩＣカード６がＮＦＣインタフェース１７のタッチ部にタッチされた場合、ＩＣカード６のカード番号と対応づけて不揮発性メモリ２２に記憶されている登録データの中からコピー機能の登録データが抽出されて、その抽出された登録データに対応するショートカットキー６１が行列状に並べて表示される。また、機能限定ショートカット表示画面４６には、全表示キー８１が表示される。全表示キー８１が押操作されると、操作パネル１６の表示画面が機能限定ショートカット表示画面４６からショートカット表示画面４４に切り替わり、ＩＣカード６のカード番号と対応づけて不揮発性メモリ２２に記憶されている各登録データに対応するショートカットキー６１が行列状に並べて表示される。
【００５３】
＜メインループ処理＞
操作パネル１６に表示される画面を遷移させるため、ＡＳＩＣ２１のＣＰＵ２５により、図５に示されるメインループ処理が実行される。
【００５４】
メインループ処理では、ＣＰＵ２５は、ＩＣカード６がＮＦＣインタフェース１７のタッチ部にタッチされたか否かを判断する（Ｓ１）。
【００５５】
ＩＣカード６がＮＦＣインタフェース１７のタッチ部にタッチされると、ＩＣカード６とＮＦＣインタフェース１７との間でのＮＦＣ通信により、ＩＣカード６からＮＦＣインタフェース１７にカード番号が読み取られる。ＣＰＵ２５は、ＩＣカード６がタッチされたと判断した場合（Ｓ１：ＹＥＳ）、ＩＣカード６からＮＦＣインタフェース１７に読み取られたカード番号を揮発性メモリ２３に記憶させる（Ｓ２）。
【００５６】
その後、ＣＰＵ２５は、お気に入り処理を実行する（Ｓ３）。お気に入り処理については、後述する。
【００５７】
一方、ＣＰＵ２５は、ＩＣカード６がＮＦＣインタフェース１７のタッチ部にタッチされていないと判断した場合（Ｓ１：ＮＯ）、操作パネル１６に表示されているキーのいずれかが押操作されたか否かを判断する（Ｓ４）。ＣＰＵ２５は、キーが押操作されていないと判断した場合（Ｓ４：ＮＯ）、ＩＣカード６がＮＦＣインタフェース１７のタッチ部にタッチされたか否かを再び判断する（Ｓ１）。
【００５８】
ＣＰＵ２５は、操作パネル１６に表示されているキーのいずれかが押操作されたと判断した場合（Ｓ４：ＹＥＳ）、その押操作されたキーがホーム画面４１のカスタムキー５４であるか否かを判断する（Ｓ５）。ＣＰＵ２５は、押操作されたキーがカスタムキー５４であると判断した場合（Ｓ５：ＹＥＳ）、操作パネル１６にショートカット登録されている全登録データの一覧を表示させる（Ｓ６）。
【００５９】
ＣＰＵ２５は、押操作されたキーがカスタムキー５４ではないと判断した場合（Ｓ５：ＮＯ）、つまりカスタムキー５４とは別のキーが押操作された場合、その押操作されたキーが機能限定ショートカット表示画面４６の全表示キー８１であるか否かを判断する（Ｓ７）。ＣＰＵ２５は、押操作されたキーが全表示キー８１であると判断した場合（Ｓ７：ＹＥＳ）、ＩＣカード６のカード番号と紐付けて不揮発性メモリ２２に記憶されている各登録データ（第１表示情報の一例）に対応するショートカットキー６１が行列状に並ぶショートカット表示画面４４を操作パネル１６に表示させる（Ｓ８）。
【００６０】
ＣＰＵ２５は、押操作されたキーが全表示キー８１ではないと判断した場合（Ｓ７：ＮＯ）、つまりカスタムキー５４および全表示キー８１とは別のキーが押操作された場合、その押操作されたキーが設定内容表示画面４５のスタートキー７１であるか否かを判断する（Ｓ９）。ＣＰＵ２５は、押操作されたキーがスタートキー７１であると判断した場合（Ｓ９：ＹＥＳ）、設定内容表示画面４５に表示されていた内容で機能が実行されるよう（Ｓ１０）、画像形成部１１または画像読取部１２などを制御する。
【００６１】
ＣＰＵ２５は、押操作されたキーがスタートキー７１でもないと判断した場合（Ｓ９：ＮＯ）、つまりカスタムキー５４、スタートキー７１および全表示キー８１とは別のキーが押操作された場合、操作パネル１６の表示画面を押操作されたキーに応じた画面に更新する（Ｓ１１）。
【００６２】
＜お気に入り処理＞
図５のステップＳ３で実行されるお気に入り処理の流れは、図６に示されている。
【００６３】
お気に入り処理では、ＣＰＵ２５は、操作パネル１６にコピーモード画面４２が表示中であるか否かを判断する（Ｓ３０１）。
【００６４】
コピーモード画面４２が操作パネル１６に表示されている状態で、ＩＣカード６がＮＦＣインタフェース１７のタッチ部にタッチされた場合、ＣＰＵ２５は、操作パネル１６に表示されている画面がコピーモード画面４２であると判断する（Ｓ３０１：ＹＥＳ）。この場合、ＣＰＵ２５は、不揮発性メモリ２２にショートカット登録されている登録データの中から、コピー機能に関する設定が含まれる登録データを、お気に入り呼び出しデータとしてマークする（Ｓ３０２）。たとえば、図２Ａおよび図２Ｂに示される例では、登録番号「３」、登録番号「４」、登録番号「６」および登録番号「９」の登録データがお気に入り呼び出しデータとしてマークされる。
【００６５】
ＣＰＵ２５は、操作パネル１６にコピーモード画面４２が表示中ではないと判断した場合（Ｓ３０１：ＮＯ）、スキャンモード画面４３が表示中であるか否かを判断する（Ｓ３０３）。
【００６６】
スキャンモード画面４３が操作パネル１６に表示されている状態で、ＩＣカード６がＮＦＣインタフェース１７のタッチ部にタッチされた場合、ＣＰＵ２５は、操作パネル１６に表示されている画面がスキャンモード画面４３であると判断する（Ｓ３０３：ＹＥＳ）。この場合、ＣＰＵ２５は、不揮発性メモリ２２にショートカット登録されている登録データの中から、スキャン機能に関する設定が含まれる登録データを、お気に入り呼び出しデータとしてマークする（Ｓ３０４）。たとえば、図２Ａおよび図２Ｂに示される例では、登録番号「５」、登録番号「７」および登録番号「８」の登録データがお気に入り呼び出しデータとしてマークされる。
【００６７】
ＣＰＵ２５は、操作パネル１６にスキャンモード画面４３が表示中ではないと判断した場合（Ｓ３０３：ＮＯ）、ファックスモード画面が表示中であるか否かを判断する（Ｓ３０５）。
【００６８】
ファックスモード画面が操作パネル１６に表示されている状態で、ＩＣカード６がＮＦＣインタフェース１７のタッチ部にタッチされた場合、ＣＰＵ２５は、操作パネル１６に表示されている画面がファックスモード画面であると判断する（Ｓ３０５：ＹＥＳ）。この場合、ＣＰＵ２５は、不揮発性メモリ２２にショートカット登録されている登録データの中から、ファックス機能に関する設定が含まれる登録データを、お気に入り呼び出しデータとしてマークする（Ｓ３０６）。たとえば、図２Ａおよび図２Ｂに示される例では、登録番号「１」および登録番号「２」の登録データがお気に入り呼び出しデータとしてマークされる。
【００６９】
ＣＰＵ２５は、操作パネル１６にファックス画面が表示中ではないと判断した場合（Ｓ３０５：ＮＯ）、ホーム画面４１が表示中であるか否かを判断する（Ｓ３０７）。
【００７０】
ホーム画面４１が操作パネル１６に表示されている状態で、ＩＣカード６がＮＦＣインタフェース１７のタッチ部にタッチされた場合、ＣＰＵ２５は、操作パネル１６に表示されている画面がホーム画面４１であると判断する（Ｓ３０７：ＹＥＳ）。この場合、ＣＰＵ２５は、揮発性メモリ２３に記憶されているカード番号に優先して使用する登録データが設定されていないかどうかを判断する（Ｓ３０８）。
【００７１】
ＣＰＵ２５は、揮発性メモリ２３に記憶されているカード番号に優先して使用する登録データが設定されていないと判断した場合（Ｓ３０８：ＹＥＳ）、全登録データを、お気に入り呼び出しデータとしてマークする（Ｓ３０９）。たとえば、図２Ａおよび図２Ｂに示される例では、登録番号「１」〜登録番号「９」の全登録データがお気に入り呼び出しデータとしてマークされる。
【００７２】
ＣＰＵ２５は、揮発性メモリ２３に記憶されているカード番号に優先して使用する登録データが設定されていると判断した場合（Ｓ３０８：ＮＯ）、その優先して使用する登録データを、お気に入り呼び出しデータとしてマークする（Ｓ３１０）。
【００７３】
こうして、ＣＰＵ２５は、お気に入り呼び出しデータをマークした後、お気に入り呼び出し処理を実行して（Ｓ３１１）、お気に入り処理を終了する。その後、ＣＰＵ２５が実行する処理は、メインループ処理に戻る。
【００７４】
＜お気に入り呼び出し処理＞
図６のステップＳ３１１で実行されるお気に入り呼び出し処理の流れは、図７に示されている。
【００７５】
お気に入り呼び出し処理では、ＣＰＵ２５は、揮発性メモリ２３に記憶されているカード番号を対象カード番号とし、お気に入り処理でマークしたお気に入り呼び出しデータを対象お気に入り呼び出しデータとする。そして、対象お気に入り呼び出しデータの中で対象カード番号に対応づけられた登録データ（以下、「対象データ」という。）を検索する（ステップＳ３１１１）。
【００７６】
その検索の結果、ＣＰＵ２５は、対象データの有無を判断する（Ｓ３１１２）。ＣＰＵ２５は、対象データがあると判断した場合（Ｓ３１１２：ＹＥＳ）、対象データの数が１であるか否かを判断する（Ｓ３１１３）。
【００７７】
ＣＰＵ２５は、対象データの数が１であると判断した場合（Ｓ３１１３：ＹＥＳ）、その対象データにワンタッチ呼び出し「オン」の設定が含まれているか否かを判断する（Ｓ３１１４）。ＣＰＵ２５は、ワンタッチ呼び出し「オン」の設定が含まれていると判断した場合（Ｓ３１１４：ＹＥＳ）、対象データの機能が実行されるよう（Ｓ３１１５）、画像形成部１１または画像読取部１２などを制御して、お気に入り呼び出し処理を終了する。この場合、操作パネル１６の表示は、ＩＣカード６がＮＦＣインタフェース１７のタッチ部にタッチされた時点で表示されていた画面から、設定内容表示画面４５が表示されずに、機能実行中画面（図示せず）に切り替わる。一方、ＣＰＵ２５は、対象データにワンタッチ呼び出し「オン」の設定が含まれていないと判断した場合（Ｓ３１１４：ＮＯ）、対象データの機能の設定内容表示画面４５を操作パネル１６に表示させて（Ｓ３１１６）、お気に入り呼び出し処理を終了する。
【００７８】
ＣＰＵ２５は、対象データの数が１ではないと判断した場合（Ｓ３１１３：ＮＯ）、複数の対象データに対応するショートカットキー６１が並ぶショートカット表示画面４４または機能限定ショートカット表示画面４６を操作パネル１６に表示させて（Ｓ３１１７）、お気に入り呼び出し処理を終了する。
【００７９】
また、ＣＰＵ２５は、対象データがないと判断した場合（Ｓ３１１２：ＮＯ）、対象データがない旨を操作パネル１６に表示させるなどの方法により、対象データがないことをユーザに報知して（ステップＳ３１１８）、お気に入り呼び出し処理を終了する。
【００８０】
お気に入り呼び出し処理の終了後、ＣＰＵ２５が実行する処理は、お気に入り処理に戻る（実質的には、メインループ処理に戻る）。
【００８１】
＜作用効果＞
以上のように、操作パネル１６にホーム画面４１が表示されている状態でＩＣカード６のカード番号が読み取られた場合には、その読み取られたカード番号に対応づけられた全登録データに基づいて、その登録データに対応するショートカットキー６１を含むショートカット表示画面４４が操作パネル１６に表示される。また、操作パネル１６に特定の機能に関する設定のためのコピーモード画面４２、スキャンモード画面４３またはファックスモード画面が表示されている状態でＩＣカード６のカード番号が読み取られた場合には、その読み取られたカード番号に対応づけられた登録データのうち、特定の機能に関する設定が含まれる登録データに基づいて、その登録データに対応するショートカットキー６１を含む機能限定ショートカット表示画面４６が操作パネル１６に表示される。
【００８２】
ＩＣカード６のカード番号が読み取られたときにホーム画面４１が操作パネル１６に表示されていた場合には、相対的に多数のショートカットキー６１を含むショートカット表示画面４４が操作パネル１６に表示されるので、ユーザによるショートカットキー６１の選択の自由度が高い。一方、ＩＣカード６のカード番号が読み取られたときに設定画面が操作パネル１６に表示されていた場合には、相対的に少数のショートカットキー６１を含む機能限定ショートカット表示画面４６が操作パネル１６に表示されるので、ユーザによるショートカットキー６１の選択が容易である。
【００８３】
よって、１枚のＩＣカード６のカード番号に複数のショートカットキー６１が対応づけられている場合におけるユーザ操作の利便性の向上を図ることができる。
【００８４】
ＩＣカード６のカード番号と対応づけられている対象データの数が１であり、かつ、その登録データにワンタッチ呼び出し「オン」の設定が含まれていない場合には、ショートカット表示画面４４ではなく、その登録データに係る機能の実行のために操作されるスタートキー７１を含む設定内容表示画面４５が操作パネル１６に表示される。そのため、ユーザは、ショートカットキー６１を押操作せずに、登録データに係る機能の実行を指示することができ、ユーザ操作の利便性のさらなる向上を図ることができる。
【００８５】
また、カード番号に対応づけられている対象データの数が１であり、かつ、その登録データにワンタッチ呼び出し「オン」の設定が含まれている場合、操作パネル１６の表示は、ＩＣカード６のカード番号が読み取られた時点で表示されていた画面から、設定内容表示画面４５が表示されずに、機能実行中画面（図示せず）に切り替わり、登録データに係る機能が実行される。そのため、その機能の実行を指示するためのスタートキー７１の押操作が不要であり、ユーザ操作の利便性のさらなる向上を図ることができる。
【００８６】
さらには、カード番号に対応づけられている対象データがない場合、対象データがないことがユーザに報知される。この報知により、表示するショートカットキー６１がないこと、もしくは、機能が実行されないことをユーザに認識させることができるので、ユーザにとっての利便性をさらに高めることができる。
【００８７】
＜変形例＞
以上、本発明の一実施形態について説明したが、本発明は、他の形態で実施することもできる。
【００８８】
たとえば、図６に示されるお気に入り処理に代えて、図８に示されるお気に入り処理が実行され、図７に示されるお気に入り呼び出し処理に代えて、図９に示されるお気に入り呼び出し処理が実行されてもよい。
【００８９】
図８に示されるお気に入り処理では、ＣＰＵ２５は、操作パネル１６にコピーモード画面４２が表示中であるか否かを判断する前に、不揮発性メモリ２２にショートカット登録されている登録データの中から、揮発性メモリ２３に記憶されているカード番号に対応づけられた登録データを選択する（Ｓ３１２）。
【００９０】
そして、ＣＰＵ２５は、操作パネル１６に表示されている画面がコピーモード画面４２であると判断した場合（Ｓ３０１：ＹＥＳ）、先に選択された登録データ、つまりカード番号に対応づけられた登録データの中から、コピー機能に関する設定が含まれる登録データを抽出し、その抽出した登録データをお気に入り呼び出しデータとする（Ｓ３０２）。たとえば、図２Ａおよび図２Ｂに示される例において、揮発性メモリ２３に記憶されているカード番号が「１００１」である場合、登録番号「３」、登録番号「４」および登録番号「６」の登録データがお気に入り呼び出しデータとされる。
【００９１】
また、ＣＰＵ２５は、操作パネル１６に表示されている画面がスキャンモード画面４３であると判断した場合（Ｓ３０３：ＹＥＳ）、先に選択された登録データの中から、スキャン機能に関する設定が含まれる登録データを抽出し、その抽出した登録データをお気に入り呼び出しデータとする（Ｓ３０４）。たとえば、図２Ａおよび図２Ｂに示される例において、揮発性メモリ２３に記憶されているカード番号が「１００１」である場合、登録番号「５」の登録データがお気に入り呼び出しデータとされる。
【００９２】
ＣＰＵ２５は、操作パネル１６に表示されている画面がファックスモード画面であると判断した場合（Ｓ３０５：ＹＥＳ）、先に選択された登録データの中から、ファックス機能に関する設定が含まれる登録データを抽出し、その抽出した登録データをお気に入り呼び出しデータとする（Ｓ３０６）。たとえば、図２Ａおよび図２Ｂに示される例において、揮発性メモリ２３に記憶されているカード番号が「１００１」である場合、登録番号「１」および登録番号「２」の登録データがお気に入り呼び出しデータとされる。
【００９３】
また、ＣＰＵ２５は、操作パネル１６に表示されている画面がホーム画面４１であると判断した場合（Ｓ３０７：ＹＥＳ）、ＣＰＵ２５は、揮発性メモリ２３に記憶されているカード番号に優先して使用する登録データが設定されていないかどうかを判断する（Ｓ３０８）。
【００９４】
ＣＰＵ２５は、揮発性メモリ２３に記憶されているカード番号に優先して使用する登録データが設定されていないと判断した場合（Ｓ３０８：ＹＥＳ）、先に選択された登録データ、つまりカード番号に対応づけられた登録データのすべてをお気に入り呼び出しデータとする（Ｓ３０９）。たとえば、図２Ａおよび図２Ｂに示される例では、登録番号「１」〜登録番号「６」の登録データがお気に入り呼び出しデータとされる。
【００９５】
ＣＰＵ２５は、揮発性メモリ２３に記憶されているカード番号に優先して使用する登録データが設定されていると判断した場合（Ｓ３０８：ＮＯ）、その優先して使用する登録データをお気に入り呼び出しデータとする（Ｓ３１０）。
【００９６】
図８に示されるお気に入り処理が実行された場合、お気に入り呼び出し処理では、図９に示されるように、図７に示されるステップＳ３１１１が省略されて、お気に入り処理でお気に入り呼び出しデータとした登録データがそのまま対象データとされる。図９に示されるお気に入り呼び出し処理において、それ以降の処理は、図７に示されるお気に入り呼び出し処理と同様であるから、その説明を省略する。
【００９７】
また、前述の実施形態では、外部の媒体の一例がＩＣカード６であり、情報読取部の一例がＮＦＣ通信でＩＣカード６からカード番号を読み取るＮＦＣインタフェース１７である場合を例にとった。しかし、外部の媒体の一例が磁気カードであり、情報読取部の一例が磁気カードリーダであってもよい。また、外部の媒体の一例が一次元バーコードを有する媒体であり、情報読取部の一例がバーコードリーダであってもよい。外部の媒体の一例がＱＲコード（登録商標）を有する媒体であり、情報読取部の一例がＱＲコードリーダであってもよい。さらには、外部の媒体の一例がＢｌｕｅｔｏｏｔｈ（登録商標）による無線通信が可能な通信端末であり、情報読取部の一例が外部の媒体の一例がＢｌｕｅｔｏｏｔｈ（登録商標）による無線通信が可能なインタフェースであってもよい。外部の媒体の一例がＷｉ−Ｆｉ（登録商標）による無線通信が可能な通信端末であり、情報読取部の一例が外部の媒体の一例がＷｉ−Ｆｉ（登録商標）による無線通信が可能なインタフェースであってもよい。
【００９８】
さらに、前述の実施形態では、ＣＰＵ２５が各処理を実行する場合について説明した。しかしながら、ＡＳＩＣ２１が複数のＣＰＵを備え、複数のＣＰＵが協働して各処理を実行してもよい。
【００９９】
その他、前述の構成には、特許請求の範囲に記載された事項の範囲で種々の設計変更を施すことが可能である。
【符号の説明】
【０１００】
１：ＭＦＰ
６：ＩＣカード
１１：画像形成部
１２：画像読取部
１４：ＦＡＸインタフェース
１６：操作パネル
１７：ＮＦＣインタフェース
２２：不揮発性メモリ
２５：ＣＰＵ
４１：ホーム画面
４２：コピーモード画面
４３：スキャンモード画面
４４：ショートカット表示画面
４５：設定内容表示画面
４６：機能限定ショートカット表示画面
６１：ショートカットキー
７１：スタートキー
【図１】
2020068432.tif 000003
【図２Ａ】
2020068432.tif 000004
【図２Ｂ】
2020068432.tif 000005
【図３】
2020068432.tif 000006
【図４】
2020068432.tif 000007
【図５】
2020068432.tif 000008
【図６】
2020068432.tif 000009
【図７】
2020068432.tif 000010
【図８】
2020068432.tif 000011
【図９】
2020068432.tif 000012